(57)【要約】【課題】マーキング用尺として、穴を数えたり目盛りを読み取ったりすることなく、複数種の規定ピッチに対応したマーキングを極めて容易に正確に行え、ビス止めや釘打ちによる止着ピッチが異なる複数種のパネル材の取付施工に好適なものを提供する。【解決手段】測尺帯１の先端側の基準位置Ｓを始点として、測尺帯１に基準ピッチＰ０で透孔２が穿設され、ピッチ幅が該基準ピッチＰ０の整数倍である複数種の規定ピッチＰ１〜Ｐ４の各々に対応する透孔２位置の測尺帯表面１０に、各規定ピッチの種類毎に色分けした着色表示Ｃ１〜Ｃ４が設けられてなる。【選択図】図１
2011075535.tif 000002
【特許請求の範囲】
【請求項１】
測尺帯の先端側の基準位置を始点として、該測尺帯に基準ピッチで透孔が穿設されると共に、ピッチ幅が該基準ピッチの整数倍である複数種の規定ピッチの各々に対応する透孔位置の測尺帯表面に、各規定ピッチの種類毎に色分けした着色表示が設けられてなるマーキング用尺。
【請求項２】
前記測尺帯が捲き込みケース付きの巻尺であり、その先端にフック金具が取り付けられなる請求項１に記載のマーキング用尺。
【請求項３】
前記測尺帯が硬質材料からなる帯板である請求項１に記載のマーキング用尺。
【請求項４】
前記測尺帯の先端から前記基準位置までの距離がマーキング対象物の端縁から該端縁に最も近いマーキング位置までの距離に等しく設定されてなる請求項１〜３の何れかに記載のマーキング用尺。
【請求項５】
前記規定ピッチが３〜６種である請求項１〜４の何れかに記載のマーキング用尺。
【請求項６】
前記測尺帯表面に、各規定ピッチの着色表示と共に、尺度目盛りが表示されてなる請求項１〜５の何れかに記載のマーキング用尺。
【請求項７】
前記基準ピッチが５０ｍｍであり、前記規定ピッチが５０ｍｍ×ｎ倍（ｎは２以上の整数）である請求項１〜６の何れかに記載のマーキング用尺。
【請求項８】
測尺帯の表面に、前記透孔位置に設ける複数種の規定ピッチの着色表示と共に、これら規定ピッチとは別基準の割り付けピッチの表示マークが前記透孔位置とは無関係に設けられてなる請求項１〜７の何れかに記載のマーキング用尺。
【請求項９】
前記規定ピッチが内装用パネルを下地材にビス止め又は釘止めする止着ピッチであり、前記別基準の割り付けピッチが該下地材の取付基体に対する割り付けピッチである請求項８記載のマーキング用尺。
【発明の詳細な説明】
【技術分野】
【０００１】
本発明は、例えば石膏ボードの如き建物内装用のパネル材の表面に、取付下地材に対するビス止めや釘打ちを行う位置指標をマーキングする場合等に好適なマーキング用尺に関する。
【背景技術】
【０００２】
一般的に、建物の内装において石膏ボード等のパネル材によって壁面や天井面を形成する際、例えば図５に示すように、一定間隔置きに配置したスタッドやランナーの如き棒軸状の下地材１１に、パネル材１２をビス止めや釘打ちによって止着する。その止着部１３は、パネル材１２の幅方向両側部と幅方向中間部に沿って各々一定ピッチに設定される。そして、幅方向中間部の止着部１３のピッチは幅方向両側部の該ピッチよりも広く設定されることが多い。なお、図示ではパネル材１２の幅方向中間部に１本の取付下地材１１が配置しているが、該幅方向中間部に複数本の取付下地材１１が等間隔に配置する場合もある。
【０００３】
しかるに、例えば一般的な石膏ボードの場合、長尺物から必要長さに切断して使用されるため、同じ幅であっても長さや施工仕様によって幅方向両側部及び幅方向中間部止着部のピッチが異なることになる。従って、幅方向の両側及び中間の止着位置についてはメーカー側でボードを移送しつつ線付けして表示設定されるが、長手方向の止着位置の設定は施工者側で専ら巻尺等の長さ測定具を用いてマーキングするのが通例であった。このため、従来の内装パネル施工では、パネル材の止着位置の設定に多大な手間と時間を費やして施工能率が悪い上、長さ測定具の目盛りの読み間違いや読み取り誤差による施工不良が多発するという問題があった。
【０００４】
一方、各種の寸法計測に多用される巻尺として、従来より使い易さの追求や種々の付加機能のために様々な工夫を加えたものが提案されており、それらの中で対象物に対するマーキング等を目的として金属製のテープ（測尺帯）に一定間隔置きにに孔を設けたものもある（特許文献１，２）。
【先行技術文献】
【特許文献】
【０００５】
【特許文献１】特開平１０−１７６９０１号公報
【特許文献２】特開２００６−３０１４８号公報
【発明の概要】
【発明が解決しようとする課題】
【０００６】
前記の測尺帯に一定間隔置きに孔を設けた巻尺では、その孔位置で鉛筆の如き筆記具や墨打ちによるマーキングを施せるが、孔間隔と異なるピッチでのマーキングを行うには先端からの穴の数を数えたり目盛りを読み取ったりする必要がある。従って、このような巻尺を前記のように止着部のピッチが異なる複数種のパネル材に対するマーキングに利用する場合、そのピッチの設定に手間を要して施工能率が悪くなると共に、穴の数え間違いや目盛りの読み間違いによる施工不良を生じる懸念があった。
【０００７】
本発明は、上述の事情に鑑みて、マーキング用尺として、穴を数えたり目盛りを読み取ったりすることなく、複数種の規定ピッチに対応したマーキングを極めて容易に且つ正確に行え、例えばビス止めや釘打ちによる止着部のピッチが異なる複数種のパネル材の取付施工等に好適に利用できるものを提供することを目的としている。
【課題を解決するための手段】
【０００８】
上記目的を達成するための手段を図面の参照符号を付して示せば、請求項１の発明に係るマーキング用尺は、測尺帯１の先端側の基準位置Ｓを始点として、該測尺帯１に基準ピッチＰ０で透孔２が穿設されると共に、ピッチ幅が該基準ピッチＰ０の整数倍である複数種の規定ピッチの各々に対応する透孔２位置の測尺帯表面１０に、各規定ピッチの種類毎に色分けした着色表示Ｃ１〜Ｃ５が設けられてなる構成としている。
【０００９】
請求項２の発明は、上記請求項１のマーキング用巻尺において、測尺帯１が捲込みケース５付きの巻尺であり、その先端にフック金具３が取り付けられなるものとしている。
【００１０】
請求項３の発明は、上記請求項１のマーキング用巻尺において、測尺帯１が硬質材料からなる帯板である構成としている。
【００１１】
請求項４の発明は、上記請求項１〜３の何れかのマーキング用尺において、測尺帯１の先端から基準位置Ｐ０までの距離ｒがマーキング対象物（パネル材１２）の端縁１２ａから該端縁１２ａに最も近いマーキング位置ｍまでの距離ｄに等しく設定されてなるものとしている。
【００１２】
請求項５の発明は、上記請求項１〜４の何れかのマーキング用尺において、規定ピッチが３〜６種であるものとしている。
【００１３】
請求項６の発明は、上記請求項１〜５のいずれかのマーキング用尺において、測尺帯表面１０に、各規定ピッチの着色表示Ｃ１〜Ｃ５と共に、尺度目盛り４が表示されてなるものとしている。
【００１４】
請求項７の発明は、上記請求項１〜６の何れかのマーキング用尺において、基準ピッチＰ０が５０ｍｍであり、規定ピッチが５０ｍｍ×ｎ倍（ｎは２以上の整数）であるものとしている。
【００１５】
請求項８の発明は、測尺帯の表面に、透孔２位置に設ける複数種の規定ピッチの着色表示Ｃ１〜Ｃ５と共に、これら規定ピッチとは別基準の割り付けピッチの表示マークＬ１〜Ｌ４が透孔２位置とは無関係に設けられてなるものとしている。
【００１６】
請求項９の発明は、上記請求項８のマーキング用尺において、規定ピッチが内装用パネル（石膏ボード１２）を下地材１１にビス止め又は釘止めする止着ピッチであり、別基準の割り付けピッチが該下地材１１の取付基体に対する割り付けピッチであるものとしている。
【発明の効果】
【００１７】
次に、本発明の効果について図面の参照符号を付して示す。まず、請求項１の発明に係るマーキング用尺によれば、その測尺帯１を基準位置Ｓがマーキング対象物（パネル材１２）の最初のマーキング位置に合うようにして該マーキング対象物の表面に沿わせ、該測尺帯１における所要の規定ピッチに対応した着色表示Ｃ１〜Ｃ５のある透孔２毎に、適当なマーキング具８によって印を付けるだけの簡単な操作により、該マーキング対象物の表面に所定ピッチのマーキングを施すことができる。しかして、着色表示Ｃ１〜Ｃ５はピッチ幅が異なる規定ピッチ毎に色分けされているから、いずれの規定ピッチでも目盛りを読んだり透孔２の数を数えたりする必要がなく、着色表示Ｃ１〜Ｃ５の色だけを目安にして極めて容易に能率よく正確なマーキングを行える。なお、透孔２を設ける基準ピッチＰ０は、複数種の規定ピッチのピッチ幅の最大公約数となるピッチ幅に設定すればよい。
【００１８】
請求項２の発明によれば、上記マーキング用尺として、測尺帯１が捲込みケース５付きの巻尺であって、先端にフック金具３を備えるものが提供される。
【００１９】
請求項３の発明によれば、上記マーキング用尺として、測尺帯１が硬質材料からなる帯板であるものが提供される。
【００２０】
請求項４の発明によれば、測尺帯１の先端から基準位置Ｓまでの距離ｒがマーキング対象物の端縁１２ａから最初のマーキングｍ位置までの距離ｄに合致するから、マーキングに際し、測尺帯１の先端をマーキング対象物（パネル材１２）の端縁１２ａに合わせるだけで、該測尺帯１の基準位置Ｓが自動的に最初のマーキング位置ｍに合うことになり、もって位置決めの手間が省けると共に、マーキング始端位置のバラツキによるマーキングのずれを防止できるという利点がある。
【００２１】
請求項５の発明に係るマーキング用尺では、３種以上の規定ピッチに適用できて汎用性に優れると共に、全部の規定ピッチが重複する透孔２の周囲でも着色表示Ｃ１〜Ｃ５の各領域を充分に識別容易な広さ及び色相差に設定できるという利点がある。
【００２２】
請求項６の発明に係るマーキング用尺では、測尺帯表面１０に各規定ピッチの着色表示Ｃ１〜Ｃ５と共に尺度目盛り４Ａ〜４Ｅが表示されているから、通常の長さ計測具としても使用できる上、該尺度目盛り４Ａ〜４Ｅをピッチ幅の確認にも利用できる。
【００２３】
請求項７の発明に係るマーキング用尺では、基準ピッチＰ０が５０ｍｍで、規定ピッチが５０ｍｍ×ｎ倍（ｎは２以上の整数）であるから、特に建物内装に用いる一般的な石膏ボードのビス止め又は釘打ちによる止着部を表示するマーキングに好適に利用できる。
【００２４】
請求項８の発明に係るマーキング用尺では、基準ピッチＰ０の整数倍となる複数種の規定ピッチのマーキングを行えると共に、別基準の割り付けピッチについても表示マークを利用してマーキングできるという利点がある。
【００２５】
請求項９の発明によれば、上記マーキング用尺として、内装用のパネル材１２を下地材１１にビス止め又は釘止めする止着ピッチの設定と、該下地材１１をその取付基体に割り付けるための割り付けピッチの設定の両方に利用できるものが提供される。
【図面の簡単な説明】
【００２６】
【図１】本発明に係る第一実施形態のマーキング用尺の斜視図である。
【図２】同マーキング用尺の測尺帯の平面図である。
【図３】同マーキング用尺によるマーキング操作を示す要部の縦断側面図である。
【図４】同マーキング用尺によるマーキング対象の石膏ボードの一例を示す平面図である。
【図５】同マーキング用尺の測尺帯における規定ピッチ及び着色表示を示す模式図である。
【図６】同マーキング用尺の測尺帯における５種の規定ピッチの着色表示例（ａ）〜（ｆ）を示す要部の平面図である。
【図７】本発明に係る第二実施形態のマーキング用尺を示し、（ａ）は全体の概略平面図、（ｂ）は先端側の拡大平面図である。
【図８】本発明に係る第三実施形態のマーキング用尺の平面図である。
【図９】内装パネルの施工例を示す斜視図である。
【発明を実施するための形態】
【００２７】
図１及び図２に示す本発明の第一実施形態に係るマーキング用尺Ｍ１は、ばね鋼等よりなる金属製の測尺帯１が捲込みケース５に捲込み収納可能になった巻尺であり、その先端側の基準位置Ｓを始点として、一定ピッチで透孔２が測尺帯１の全長にわたって各々幅方向中央位置に穿設されている。そして、この測尺帯１の表面１０には、透孔２・・・のピッチ幅を基準ピッチＰ０として、ピッチ幅が該基準ピッチＰ０の３倍，４倍，５倍，６倍の４種の規定ピッチＰ１〜Ｐ４（図５参照）の各々に対応する透孔２位置の周囲に、各規定ピッチの種類毎に色分けした着色表示Ｃ１〜Ｃ４が設けられると共に、一側縁１ａに沿う１ｍｍ刻みの尺度目盛り４Ａと、他側縁１ｂに沿う５ｍｍ刻みの尺度目盛り４Ｂ及び５ｃｍ毎の尺度数値４１とが表示されている。なお、図１では尺度目盛り４Ａのｍｍ線及び尺度目盛り４Ｂを省略すると共に、図２では図示最上段の先端側を除いて尺度目盛り４Ａ，４Ｂの両方を省略している。
【００２８】
また、測尺帯１の先端には、側面視Ｌ字状のフック金具３がフック部３ａを背面側へ直角に突出した状態で鋲３ｂによって取り付けられており、そのフック部３ａが基準位置Ｓから距離ｒだけ前方に位置している。なお、測尺帯１は平坦に図示しているが、実際には背面側へ凸となるように幅方向に湾曲している。図１中、６は捲込みケース５の測尺帯導出口、７は測尺帯１を任意の引出し状態で引込み不能に保持するためのスライド式ロックである。
【００２９】
このマーキング用尺Ｍ１は、図３に示すように、パネル材１２の表面上に測尺帯１を沿わせた状態で、透孔２の位置で適当なマーキング具８で印を付けることにより、図４に示すように、該パネル材１２の幅方向両側部及び幅方向中間部に沿ってビスや釘による止着位置となるマーキングｍを施すのに使用される。しかして、測尺帯１の上記４種の規定ピッチＰ１〜Ｐ４は、マーキングｍのピッチＰｎに対応している。また、測尺帯１におけるフック金具３のフック部３ａから基準位置Ｓまでの距離ｒは、該パネル材１２の端縁１２ａから該端縁１２ａに最も近いマーキングｍまでの距離ｄに等しく設定される。
【００３０】
図５に示すように、ピッチ幅が基準ピッチＰ０の３倍の第１規定ピッチＰ１の着色表示Ｃ１は青色の２５°楕円、同４倍の第２規定ピッチＰ２の着色表示Ｃ２は緑色の３０°楕円、同５倍の第３規定ピッチＰ３の着色表示Ｃ３は赤色の３５°楕円、同６倍の第４規定ピッチＰ４の着色表示Ｃ４は黒色の円、として各々表示されている。そして、規定ピッチＰ１〜Ｐ４の２種以上のピッチが重なる透孔２位置では、図２で示すように透孔２を中心として着色表示Ｃ１〜Ｃ４の楕円及び円を同心状に表示し、着色表示Ｃ１〜Ｃ４の相互のサイズ差を利用し、サイズが大きい方の着色を楕円同士の境界間もしくは楕円と円の境界間に施す形にしている。
【００３１】
なお、この第一実施形態のマーキング用尺Ｍ１では、一般的な壁及び天井内装用の石膏ボードにおけるビス止め又は釘打ちによる止着部のマーキング用として、基準ピッチＰ０を５０ｍｍ、第１規定ピッチＰ１を１５０ｍｍ、第２規定ピッチＰ２を２００ｍｍ、第３規定ピッチＰ３を２５０ｍｍ、第４規定ピッチＰ４を３００ｍｍ、フック金具３のフック部３ａから基準位置Ｓまでの距離ｒを基準ピッチＰ０と等しい５０ｍｍ、にそれぞれ設定している。この場合、着色表示Ｃ１〜Ｃ４を施す透孔２の基準位置Ｓからの距離は次表の通りであり、表中の○印で示すように、規定ピッチＰ１〜Ｐ４の２種以上の最小公倍数に相当する距離毎に着色表示Ｃ１〜Ｃ４の複数が重なり、全部の着色表示Ｃ１〜Ｃ４が表示されるのは距離０ｍｍの基準位置Ｓと以降の距離３０００ｍｍ毎になる。
【００３２】
【表１】
2011075535.tif 000003
【００３３】
上記構成のマーキング用尺Ｍ１によれば、その測尺帯１の基準位置Ｓをパネル材１２の最初のマーキング位置に合わせ、該測尺帯１を捲き込みケース５から引き出した状態でパネル材１２の表面に沿わせ、該測尺帯１における規定ピッチＰ１〜Ｐ４の着色表示Ｃ１〜Ｃ４の内の所要ピッチに対応する着色を施した透孔２毎に、マーキング具８によって印を付けるだけの簡単な操作により、該パネル材１２の表面に所要ピッチのマーキングｍを施すことができる。すなわち、着色表示Ｃ１〜Ｃ４はピッチ幅が異なる規定ピッチＰ１〜Ｐ４毎に色分けされているから、いずれの規定ピッチＰ１〜Ｐ４でも目盛りを読んだり透孔２の数を数えたりする必要がなく、着色表示Ｃ１〜Ｃ４の色だけを目安にして極めて容易に能率よく正確なマーキングを行える。
【００３４】
また、本実施形態のマーキング用尺Ｍ１では、測尺帯１におけるフック金具３のフック部３ａから基準位置Ｓまでの距離ｒがパネル材１２の端縁１２ａから最初のマーキングｍ位置までの距離ｄに合致するから、マーキングに際し、該フック金具３のフック部３ａをマーキング対象物であるパネル材１２の端縁１２ａに掛止して測尺帯１をパネル材１２の表面に沿わせるだけで、該測尺帯１の基準位置Ｓが自動的に最初のマーキング位置ｍに合うことになり、もって位置決めの手間が省けると共に、マーキング始端位置のバラツキによるマーキングのずれを防止できる。更に、測尺帯表面１０に各規定ピッチＰ１〜Ｐ４の着色表示Ｃ１〜Ｃ４と共に尺度目盛り４Ａ，４Ｂが表示されているから、長さ計測用の通常の巻尺としても使用できる上、該尺度目盛り４Ａ，４Ｂをピッチ幅の確認にも利用できる。
【００３５】
第一実施形態のマーキング用尺Ｍ１は、特に建物の内装パネルに用いる一般的な石膏ボードのビス止め又は釘打ちによる止着部のマーキング用として、最小の規定ピッチＰ１を１５０ｍｍとしているが、最小の規定ピッチＰ１を１００ｍｍとしてもよい。すなわち、該石膏ボードのマーキング用としての規定ピッチは、５０ｍｍ×ｎ倍（ｎは２以上の整数）である。
【００３６】
しかして、各規定ピッチの着色表示の表示形態と色合いについては、特に制約はなく、実施形態以外に種々設定できる。図６（ａ）〜（ｆ）に、５種の規定ピッチに対応する着色表示Ｃ１〜Ｃ５の表示形態を例示するが、これら以外の様々な表示形態も支障なく採用可能であることは言うまでもない。
【００３７】
なお、マーキング具８としては、種々のマーキングペンや鉛筆等の着色マーキングを施すものと、ポンチやピック等の刻印マーキングを施すものとがあり、施工仕様によって適宜すればよい。ただし、化粧板として用いる石膏ボード等の内装用パネルではマーキングｍの痕跡が残るのを嫌うため、特に時間経過や加熱によって筆跡が消色するマーカーを用いることが推奨される。このような消色性のマーカーは、近年、消える水性ペン等と銘打ったものが種々市販されている。
【００３８】
図６（ａ）では、サイズ最小の着色表示Ｃ１が透孔２を中心とする円の径方向対向位置をカットした形状で表示され、その外側に着色表示Ｃ２〜Ｃ５が順次径大の円として同心多重円をなすように表示されている。図６（ｂ）では、着色表示Ｃ１が透孔２を中心とする円で表示され、この着色表示Ｃ１の円の周囲に、同径の円をなす着色表示Ｃ２〜Ｃ５が角度９０°の位相差で取り巻くように表示されている。図６（ｃ）では、着色表示Ｃ１が透孔２を中心とする円で表示され、この着色表示Ｃ１の円の周囲に、Ｕ字形の輪郭をなす着色表示Ｃ２〜Ｃ５が角度９０°の位相差で取り巻くように表示されている。図６（ｄ）では、着色表示Ｃ１が透孔２を中心とする円で表示され、この着色表示Ｃ１の円の周囲に、正三角形をなす着色表示Ｃ２〜Ｃ５が角度９０°の位相差で取り巻くように表示されている。図６（ｅ）では、着色表示Ｃ１が透孔２を中心とする小円で表示され、この小円と同心の大円との間を半径方向分画線で４分割した扇状として着色表示Ｃ２〜Ｃ５が表示されている。図６（ｆ）では、透孔２を中心とする円を半径方向分画線で５分割した扇状として着色表示Ｃ１〜Ｃ５が表示されている。
【００３９】
図７（ａ）（ｂ）に示す本発明の第二実施形態に係るマーキング用尺Ｍ２は、アルミ、ステンレス鋼、鉄鋼等からなる金属製板尺であり、全体が測尺帯１として長さ１〜３ｍ程度、幅３〜５ｃｍ程度の帯板状をなし、その一端（図示の左端）から５０ｍｍ離れた位置を始点の基準位置Ｓとして、５０ｍｍピッチで透孔２が全長にわたって各々幅方向中央位置に穿設されている。そして、測尺帯１の表面１０には、基準位置Ｓの透孔２と、一つ置いて連なる５つの透孔２毎に、各透孔２を取囲む円形の着色表示域９が設けられると共に、一側縁１ａに沿って１ｍｍ刻みの尺度目盛り４Ｃとｃｍ単位の尺度数値４２が表示され、また他側縁１ｂに沿って５０ｍｍ刻みの尺度目盛り４Ｄと５０ｍｍ単位の尺度数値４３が表示されている。
【００４０】
このマーキング用尺Ｍ２では、透孔２・・・のピッチ幅５０ｍｍを基準ピッチＰ０として、ピッチ幅が基準ピッチＰ０の２倍である１００ｍｍ、同３倍である１５０ｍｍ、同４倍である２００ｍｍ、同５倍である２５０ｍｍ，同６倍である３００ｍｍの５種の規定ピッチに対応して、着色表示域９が中心側の略太鼓側面形をなす１領域と半径方向の区割線で四分した周辺４領域との５つに区画されている。そして、この着色表示域９の区割された各領域に、５種の規定ピッチの着色表示Ｃ１〜Ｃ５の各々が割り当てられている。
【００４１】
すなわち、１００ｍｍの規定ピッチは緑色の着色表示Ｃ１として着色表示域９の中央領域に、１５０ｍｍの規定ピッチは青色の着色表示Ｃ２として同周辺の上側領域に、２００ｍｍの規定ピッチは橙色の着色表示Ｃ３として同周辺の下側領域に、２５０ｍｍの規定ピッチは赤色の着色表示Ｃ４として同周辺の左側領域に、３００ｍｍの規定ピッチは黒色の着色表示Ｃ５として同周辺お右側領域に、それぞれ表示するように設定している。そして、図７（ｂ）に示すように、基準位置Ｓの着色表示域９では５種の着色表示Ｃ１〜Ｃ５の全てが表示され、基準位置Ｓから１００ｍｍの着色表示域９には着色表示Ｃ１のみ、同１５０ｍｍの着色表示域９には着色表示Ｃ２のみ、同２００ｍｍの着色表示域９には着色表示Ｃ１，Ｃ３の２種、同２５０ｍｍの着色表示域９には着色表示Ｃ４のみ、同３００ｍｍの着色表示域９には着色表示Ｃ１，Ｃ２，Ｃ５の３種、というように順次基準位置Ｓからの対応する距離毎に着色表示域９の各区画領域に各規定ピッチの着色が施され、各着色表示域９における規定ピッチに対応しない区画領域は非着色になっている。
【００４２】
また、尺度目盛り４Ｃは通常の長さ計測用として測尺帯１の全長にわたって設けてあるが、尺度目盛り４Ｄは規定ピッチ確認用として基準位置Ｓを始点（０）とする目盛りになっている。なお、図７（ａ）では両尺度目盛り４Ｃ，４Ｄを省略し、また図７（ｂ）でも尺度目盛り４Ｃの２５ｃｍ以降における１ｍｍ刻み線を省略している。
【００４３】
この第二実施形態のマーキング用尺Ｍ２によれば、前記第一実施形態のマーキング用尺Ｍ１と同様に、測尺帯１を基準位置Ｓがパネル材１２の最初のマーキング位置に合うように該パネル１２の表面に沿わせ、着色表示Ｃ１〜Ｃ５の内の所要ピッチに対応する着色を施した透孔２毎に、マーキング具８（図３参照）等によって印を付けるだけで、該パネル材１２の表面に所要ピッチのマーキングｍを施すことができ、いずれの規定ピッチでも目盛りを読んだり透孔２の数を数えたりする必要がなく、着色表示Ｃ１〜Ｃ５の色だけを目安にして極めて容易に能率よく正確なマーキングを行える。また、測尺帯１の先端から基準位置Ｓまでの距離ｒがパネル材１２の端縁１２ａから最初のマーキングｍ位置までの距離ｄ（図３参照）に合致しており、マーキングに際し、測尺帯１の先端をマーキング対象物であるパネル材１２の端縁１２ａに合致させるだけで、該測尺帯１の基準位置Ｓが自動的に最初のマーキング位置ｍに合うから、位置決めの手間が省ける。更に、一側縁１ａ側の尺度目盛り４Ｃを利用して通常の長さ計測を行えると共に、他側縁１ｂ側の尺度目盛り４Ｄによってピッチ幅を確認できる。
【００４４】
本発明のマーキング用尺は、上述した第一及び第二実施形態のマーキング用尺Ｍ１，Ｍ２のように４種又は５種の規定ピッチに適用するものに限らず、基準ピッチＰ０の整数倍となる複数種の規定ピッチに適用するもので、その規定ピッチの各々に対応する透孔２位置の測尺帯１表面に、各規定ピッチの種類毎に色分けした着色表示を設けたものであればよい。ただし、規定ピッチの種類は、汎用性の面より３種以上が望ましく、また全部の規定ピッチが重複する透孔２周囲で着色表示の各領域を識別容易な広さ及び色相差に設定する上で６種以下がよく、もって３〜６種の範囲が推奨される。そして、透孔２を設ける基準ピッチＰ０は、適用する複数種の規定ピッチにおけるピッチ幅の公約数となるピッチ幅に設定すればよいが、小さ過ぎては測尺帯１の強度及び腰の低下に繋がるため、最大公約数となるピッチ幅（第一及び第二実施形態では最大公約数が５０ｍｍ）が推奨される。また、尺度目盛りを設ける場合の目盛りの刻み単位と表示形態、尺度数値の表示単位及び表示間隔等については、例示以外に種々設定できる。
【００４５】
更に、本発明のマーキング用尺では、透孔２による基準ピッチＰ０の整数倍となる規定ピッチの着色表示と共に、これら規定ピッチとは別基準の割り付けピッチに対応した表示マークを測尺帯１の表面に設けることも可能である。例えば、図８で示す第三実施形態のマーキング用尺Ｍ３は、内装用のパネル材１２を下地材１１にビス止め又は釘止めする止着ピッチの設定と、下地材１１をその取付基体に割り付けるための割り付けピッチの設定の両方に利用できるようにしている。
【００４６】
この第三実施形態のマーキング用尺Ｍ３は、前記第一実施形態と同様の巻尺の測尺帯１に、その一端（図示の左端）から５０ｍｍ離れた位置を始点の基準位置Ｓとして、５０ｍｍピッチで透孔２が全長にわたって各々幅方向中央位置に穿設されている。そして、測尺帯１の表面１０には、透孔２・・・のピッチ幅を基準ピッチとして、該基準ピッチの３倍（１５０ｍｍ），４倍（２００ｍｍ），５倍（２５０ｍｍ），６倍（３００ｍｍ）の４種の規定ピッチの種類毎に色分けした円形の着色表示Ｃ１〜Ｃ４が対応する透孔２位置に設けられると共に、これら規定ピッチの着色表示Ｃ１〜Ｃ４とは別に、異なる基準の４種の割り付けピッチに対応して形状又は色調の異なる表示マークＬ１〜Ｌ４が透孔２位置とは無関係に設けてある。また、測尺帯１の両側縁１ａ，１ｂに沿って、全長にわたる２ｍｍ刻みの尺度目盛り４Ｅと１０ｃｍ単位及び１ｃｍ単位の尺度数値４４，４５が表示されている。なお、図では尺度目盛り４Ｅの３０ｃｍ以降の２ｍｍ刻み線を省略している。
【００４７】
ここで、着色表示Ｃ１〜Ｃ４で表される４種の規定ピッチは、ビル等の壁及び天井内装用の石膏ボードの如きパネル材１２を下地材１１にビス止め又は釘止めする際の一般的な止着ピッチである。そして、着色表示Ｃ１〜Ｃ４は、その規定ピッチの１種のみが対応する透孔２位置では該透孔２と同心の円で表示されるが、２種以上の規定ピッチが重なる透孔２位置では、その複数の円形が図示のように測尺帯１の長手方向に並ぶように配置している。
【００４８】
一方、表示マークＬ１〜Ｌ４で表される４種の割り付けピッチは、上記パネル材１２を支持する軽量鉄骨構造の内装下地において、下地材１１をコンクリート躯体や他の各種の取付基体に対して割り付ける（一定間隔に配置する）際に多用される、２２７．５ｍｍ、３０３ｍｍ、３６４ｍｍ、４５５ｍｍの各ピッチになっている。そして、表示マークＬ１は３０３ｍｍピッチに対応して小赤丸で、表示マークＬ２は４５５ｍｍピッチに対応して小赤三角で、表示マークＬ３は２２７．５ｍｍピッチに対応して小黒丸で、表示マークＬ４は３５４ｍｍピッチに対応して小黒丸で、それぞれ測尺帯１の先端を始点とした各ピッチに対応する位置に表示されている。また、表示マークＬ１，Ｌ２は測尺帯１の一側縁１ａに沿って配置し、表示マークＬ３，Ｌ４は該測尺帯１の他側縁１ｂに沿って配置しているが、表示マークＬ１とＬ２ならびに表示マークＬ３とＬ４が重なる位置では三角形の一辺に半円が合わさった形（図８の長さ９１ｍｍ位置における表示マークＬ１，Ｌ２参照）で表示している。
【００４９】
これら４種の割り付けピッチの表示マークＬ１〜Ｌ４に関する詳細を次の表２に示す。なお、表２では、各割り付けピッチに、対応する表示マークと同じ符号を附している。表中の「合体」は、２種の割り付けピッチが重なる位置における表示マークが、上記のように三角形と半円が合わさった形になることを意味している。また、割り付けピッチＰ１のピッチ幅３０３ｍｍは公称であって厳密には３０３＋１／３ｍｍであるため、その３ｎ倍は（９０９×ｎ）ｍｍでなく、（９１０×ｎ）ｍｍになっている。
【００５０】
【表２】
2011075535.tif 000004
【００５１】
このような第三実施形態のマーキング用尺は、複数種の規定ピッチに対応した着色表示Ｃ１〜Ｃ４と、複数種の割り付けピッチに対応した表示マークＬ１〜Ｌ４とを有するから、ビル等の壁及び天井の内装施工において、下地材１１の割り付けと内装用のパネル材１２に対する止着位置のマーキングに共用できるという利点がある。
【００５２】
なお、表示マークを設ける割り付けピッチの種類は１〜３種及び５種以上でもよく、表示マークの形状及び色調についても様々に設定可能である。また、割り付けピッチの対象は、例示した軽量鉄骨構造の内装下地における下地材に限らず、各種屋根材、外壁材、垂木、壁クロス、フローリング、タイル、煉瓦やコンクリートブロック等の種々の割り付け施工を要するものが対象となるが、透孔２を利用する規定ピッチのマーキング対象と関連していることが望ましい。
【００５３】
本発明のマーキング用尺は、例示した第一及び第三実施形態の巻尺や第二実施形態の金属製板尺に限らず、測尺帯１の材質及び形態と付属部品等が種々異なるものを包含する。しかして、測尺帯１の材質としては、金属以外に、硬質及び軟質の合成樹脂、布、樹脂含浸布、合板を含む木材、セラミックス、これらの積層物やラミネート物等の種々のものを採用できる。また、マーキング用尺の形態としては、捲込みケース付きの巻尺や硬質材料からなる板尺の他に、巻回可能な柔軟性材料からなる測尺帯のみで構成されるもの（捲込みケースのない巻尺）が挙げられる。更に、巻尺における捲込みケース５についても、捲込み機構、測尺帯を任意の引出し状態で保持するロック機構の有無と形態、他の付属機構等を様々に設定可能である。なお、フック金具３については、測尺帯１の先端部にスライド及び固定可能に設けることにより、そのフック部３ａから基準位置Ｓまでの距離ｒを、マーキング対象物の種類や施工条件による端縁から該端縁に最も近いマーキング位置までの距離ｄの変化に応じて可変調整できるようにしてもよい。
【符号の説明】
【００５４】
１          測尺帯
１０        表面
２          透孔
３          フック金具
３ａ        フック部
４Ａ〜４Ｅ  尺度目盛り
５          捲込みケース
１１        下地材
１２        パネル材（マーキング対象物）
１２ａ      端縁
Ｃ１〜Ｃ５  着色表示
Ｌ１〜Ｌ４  割り付けピッチの表示マーク
Ｐ０        基準ピッチ
Ｐ１〜Ｐ４  規定ピッチ
Ｓ          基準位置
ｄ          パネル材の端縁から該端縁に最も近いマーキング位置までの距離
ｍ          マーキング
ｒ          測尺帯の先端から基準位置までの距離
【図１】
2011075535.tif 000005
【図２】
2011075535.tif 000006
【図３】
2011075535.tif 000007
【図４】
2011075535.tif 000008
【図５】
2011075535.tif 000009
【図６】
2011075535.tif 000010
【図７】
2011075535.tif 000011
【図８】
2011075535.tif 000012
【図９】
2011075535.tif 000013